(57)【要約】【課題】電線の種類等が多少変わっても電線との密着性が極端に悪化せず十分に対応可能なようにする。【構成】電線保持具１は、電子機器のシャーシ２に取り付け可能な略筒状体である。クランプ部２０は弾性部材であり、電線保持具１の中央開口に挿入された電線３を支持する支持部内に配置されている。クランプ部２０は、先端が電線３の外面に付勢接触しながら電線３を保持する。クランプ部２０は、支持部を通じてシャーシ２に電気的に導通可能になっている。
2010001477.tif 000002
【特許請求の範囲】
【請求項１】
電子機器のシャーシに取り付け可能な略筒状体であり且つその中央開口に挿入された電線を支持する支持部と、支持部の中央開口内壁面に周方向に配置された弾性部材であり且つ先端側が前記電線の外面に付勢接触しながら当該電線を保持するクランプ部とを具備し、クランプ部が支持部を通じてシャーシに電気的に導通可能になっていることを特徴とする電線固定具。
【請求項２】
請求項１記載の電線固定具において、特殊ポリオレフィン樹脂その他の樹脂を成型し、その表面上に銅、ニッケルその他の金属をメッキして作製されていることを特徴とする電線固定具。
【請求項３】
請求項２記載の電線固定具において、射出成型法により一体的に作製されていることを特徴とする電線固定具。
【請求項４】
請求項１、２又は３記載の電線固定具において、前記支持部は、電線を出し入れするための上側開口を有した断面略凹状のベース部と、ベース部の上側開口の縁部にヒンジ結合されベース部に対して開閉自在に設けられた略板状の蓋部とを備えていることを特徴とする電線固定具。
【請求項５】
請求項４記載の電線固定具において、前記支持部は、蓋部をベース部の上側開口に開閉自在にロックするロック手段が備えられていることを特徴とする電線固定具。
【請求項６】
シャーシの切欠き穴に取り付け可能な請求項１記載の電線固定具において、前記支持部は、ベース部の外面上にシャーシの切欠き穴に対応した周縁形状を有し且つ当該シャーシの切欠き穴の縁部が挿入される取り付け用溝が形成されていることを特徴とする電線固定具。
【請求項７】
シャーシの切欠き穴の奥の両側に凹部が各々形成された請求項６記載の電線固定具において、前記ベース部の外面には前記凹部に係合可能な脱落防止用凸部が各々設けられていることを特徴とする電線固定具。
【発明の詳細な説明】
【技術分野】
【０００１】
本発明は、電子機器のシャーシにケーブル等の電線を保持するための電線保持具に関する。    
【背景技術】
【０００２】
電子機器のＥＭＣ（Electro-Magnetic Compatibility）対策を推進する目的で、機器に使用されるケーブルをシャーシに固定するに際し、ケーブルに被覆されたシールド線をシャーシと同電位に接地する機能を有した電線保持具が使用されるケースがある。【０００３】
この種の電線保持具はケーブルの外側を囲み込む帯状構造を有し、シャーシに取り付けられた状態でケーブルの外面とシャーシとの間を電気的に導通するようになっている（特許文献１）。【０００４】
【特許文献１】特開平９−２９１９０９
【発明の開示】
【発明が解決しようとする課題】
【０００５】
しかしながら、上記従来の電線保持具による場合、ケーブルの種類や本数等が変更され、ケーブルとの密着性が悪くなると、別の電線保持具を使用しない限り、ケーブルをシャーシに確実に固定できないばかりか、ノイズ抑制効果が極端に低下する。よって、ケーブルの種類等に合わせて多種類の電線保持具を適切に使い分けることが必要になり、この点で配線作業が煩わしいという問題があった。【０００６】
本発明は上記した背景の下で創作されたものであって、その目的とするところは、電線の種類等が多少変わっても電線との密着性が極端に悪化せず十分に対応可能なように改良した電線保持具を提供することにある。
【課題を解決するための手段】
【０００７】
本発明に係る電線保持具は、電子機器のシャーシに取り付け可能な略筒状体であり且つその中央開口に挿入された電線を支持する支持部と、支持部の中央開口内壁面に周方向に配置された弾性部材であり且つ先端側が前記電線の外面に付勢接触しながら当該電線を保持するクランプ部とを具備し、クランプ部が支持部を通じてシャーシに電気的に導通可能になっている。【０００８】
この発明によると、支持部を電子機器のシャーシに取り付け、支持部の中央開口に電線を通すと、電線の外面がクランプ部の先端部に接触して付勢接触しながら電線が保持され、クランプ部が支持部を通じてシャーシに電気的に導通される。この結果、電線がシャーシに確実に固定され、ノイズ抑制効果が得られる。電線の外径や本数等が多少変わってもクランプ部の弾性変形により電線との密着性が極端に悪化せず、本来の作用効果が十分に発揮される。よって、電線の種類等に合わせて多種類の電線保持具を使い分ける必要がなくなり、この点で配線作業を簡単化することが可能になる。【０００９】
上記電線保持具については、特殊ポリオレフィン樹脂その他の樹脂を成型し、その表面上に銅、ニッケルその他の金属をメッキして作製すると良い。【００１０】
この場合、電線保持具のクランプ部は、支持部の軸方向に延びた断面略逆凹状の薄板であって、電線の外面に接触可能な中央接触部と、中央接触部の両側に位置する部材であり且つ中央接触部を支持部の中央開口内壁面から浮かして状態で支持する両側支持部とを有したものを用いると良い。【００１１】
この発明によると、電線保持具を射出成型法により一体的に作製することができることから、低コスト化を図ることが可能になる。【００１２】
上記電線保持具の支持部は、電線を出し入れするための上側開口を有した断面略凹状のベース部と、ベース部の上側開口の縁部にヒンジ結合されベース部に対して開閉自在に設けられた略板状の蓋部とを備えたものを用いると良い。【００１３】
この発明によると、支持部の蓋部を開けた状態で、電線をベース部の上側開口を通じて挿入し、蓋部を閉じると、電線がクランプ部の先端側に接触してクランプされ、シャーシに固定される。この状態で、蓋部を開けると、電線をベース部の上側開口から取り出すと、シャーシから取り外される。よって、電線のシャーシに対する固定／取り外しが容易となり、修理作業等を容易に行うことができ、便利である。【００１４】
上記支持部については、蓋部をベース部の上側開口に開閉自在にロックするロック手段を備えるようにすると良い。【００１５】
この発明によると、蓋部が不用意に開くことがないことから、電線をシャーシに確実に固定することが可能になる。【００１６】
上記電線保持具がシャーシの切欠き穴に取り付けられる場合、電線保持具の支持部については、ベース部の外面にシャーシの切欠き穴に対応した周縁形状を有し且つ当該シャーシの切欠き穴の縁部が挿入される取り付け用溝が形成されたものを用いると良い。【００１７】
この発明によると、電線保持具をシャーシの切欠き穴に挿入すると、電線保持具の取り付け用溝にシャーシの切欠き穴の縁部が挿入され、電線保持具がシャーシに位置決めされる。よって、電線保持具のシャーシに対する固定／取り外しが容易となり、配線作業が容易になるだけでなく、電線保持具のリユースも容易に行うことができ、これらの点で便利である。【００１８】
シャーシの切欠き穴の奥の両側に凹部が各々形成された場合、上記支持部については、ベース部の外面には凹部に係合可能な脱落防止用凸部を各々設けたものを用いると良い。【００１９】
この発明によると、電線保持具をシャーシの切欠き穴に挿入すると、電線保持具の脱落防止用凸部がシャーシの切欠き穴の凹部に係合され、電線保持具がシャーシから容易に脱落するのが防止され、配線作業上便利である。
【発明の最良の実施の形態】
【００２０】
以下、本発明の実施の形態を図面を参照して説明する。図中１は電線保持具、２は電子機器のシャーシ、３は同機器に使用されるケーブル等の電線である。
【００２１】
ここに例として掲げる電線保持具１は、図６に示すように電子機器のシャーシ２に形成した切欠き穴２１に電線３を通して固定する際に使用されるものであって、図１乃至図５に示すように中央開口１５に挿入された電線３を保持する支持部１０と、先端側が電線３の外面に付勢接触可能なクランプ部２０ａ〜２０ｄとを有している。
【００２２】
なお、シャーシ２の切欠き穴２１は図６に示すように角穴であり、その奥の左右両側には凹部２１１が各々形成されている。
【００２３】
支持部１０については、図１に示すようにシャーシ２の切欠き穴２１に取り付け可能な略筒状体であって、電線３を出し入れするための上側開口１６を有した断面略凹状のベース部１１と、ベース部１１の上側開口１６の縁部にヒンジ結合されベース部１１に対して開閉自在に形成された略板状の蓋部１２とを備えている。なお、ベース部１１については、上側開口１６が広がる方向に左右方向に若干開げられている。
【００２４】
蓋部１２の先端部には断面略Ｕ字状のロック爪１２１が形成されている。ベース部１１の上側開口１６の縁にはロック爪１２１の先端部が係合される溝１１１が形成されている。ロック爪１２１及び溝１１１は、蓋部をベース部の上側開口に開閉自在にロックするロック手段αを構成することになる。
【００２５】
ベース部１１の外面（左側面、底面及び右側面）は、図６に示すようにシャーシ２の切欠き穴２１に対応した周縁形状となっている。ベース部１１の左側面、右側面にはシャーシ２の凹部２１１、２１１に係合可能な脱落防止用凸部１１２、１１２が各々形成されている。脱落防止用凸部１１２、１１２の下方には下り傾斜のテーパ面１１３、１１３が各々形成されている。
【００２６】
ベース部１１の外面の背面側の左右にはフランジ板１３、１４が形成されている。ベース部１１の外面の左側面には図１乃至図３に示すようにフランジ板１４に対向して板状片１４１、１４２、１４３が互いに間隔を開けて形成されている。同様にベース部１１の外面の右側面にはフランジ板１３に対向して板状片１３１、１３２、１３３が間隔を互いに開けて形成されている。
【００２７】
フランジ板１４と板状片１４１、１４２、１４３との間の隙間がシャーシ２の厚みに対応した寸法の取り付け用溝１４４となっている。同様に、フランジ板１３と板状片１３１、１３２、１３３との間の隙間がシャーシ２の厚みに対応した寸法の取り付け用溝１３４となっている。即ち、電線保持具１をシャーシ２の切欠き穴２１に挿入して取り付ける際には、シャーシ２の切欠き穴２１の縁部がベース部１１の外面に形成された取り付け用溝１３４、１４４に挿入され、ベース部１１の脱落防止用凸部１１２、１１２がシャーシ２の凹部２１１、２１１に係合される。
【００２８】
クランプ部２０ａ〜２０ｄは、支持部１０の中央開口１６内壁面に周方向に配置された弾性部材である。クランプ部２０ａ、２０ｂ、２０ｃについては、支持部１０を構成するベース部１１の内側の左側面、下側面、右側面に各々形成されている。クランプ部２０ｄについては、支持部１０を構成する蓋部１２の下面に形成されている。
【００２９】
クランプ部２０ａは、支持部１０と同一の長さで且つ支持部１０の軸方向に延びた断面略逆凹状の薄板であって、電線３の外面に接触可能な中央接触部２１ａと、中央接触部２１ａの両側に位置する部材であり且つ中央接触部２１ａを支持部１０の中央開口１６内壁面から浮かして状態で支持する両側支持部２２ａ、２３ａとを有している。クランプ部２０ｂ〜２０ｄについてもクランプ部２０ａと全く同一である。
【００３０】
本実施形態において、電線保持具１が上記したような形状になっているのは主として射出成型を用いて一体的に作製することを念頭においているからである。即ち、電線保持具１は、特殊ポリオレフィン樹脂を金型を用いて成型し、その表面上に銅、ニッケルの各層の金属をメッキして作製している。
【００３１】
このように電線保持具１の表面に金属をメッキしたことから、電線保持具１がシャーシ２に取り付けられた状態において、クランプ部２０ａ〜２０ｄが支持部１０を通じてシャーシ２に電気的に導通可能になっている。
【００３２】
なお、図４及び図５に示すようにフランジ板１３には穴１３５及び穴１３６、フランジ板１４には穴１４５及び穴１４６が各々形成されている。
【００３３】
クランプ部２０ａは、支持部１０と同一の長さで且つ支持部１０の軸方向に延びた断面略逆凹状の薄板であって、電線３の外面に接触可能な中央接触部２１ａと、中央接触部２１ａの両側に位置する部材であり且つ中央接触部２１ａを支持部１０の中央開口１６内壁面から浮かして状態で支持する両側支持部２２ａ、２３ａとを有している。クランプ部２０ｂ〜２０ｄについてもクランプ部２０ａと全く同一である。
【００３４】
上記のように構成された電線保持具１の使用方法について説明する。まず、シャーシ２の切欠き穴２１に電線保持具１のベース部１１を上から挿入する。この際、電線保持具１のベース部１１の外面にテーパ１１３、１１３が形成されているので、電線保持具１のベース部１１の上側開口１６が狭くなる方向にベース部１１が若干変形する。
【００３５】
そして、脱落防止用凸部１１２、１１２が切欠き穴２１の奥に位置する凹部２１１、２１１に完全に挿入されると、電線保持具１のベース部１１の弾性変形が元に戻り、電線保持具１の脱落防止用凸部１１２がシャーシ２の凹部２１１に係合される。そして、電線保持具１の蓋部１２を開けて、上側開口１６を通じて電線３をベース部１１の中央開口１５に入れて、蓋部１２を閉じると、ロック手段αにより屋ベース部１１と蓋部１２とが係合される。
【００３６】
この状態において電線３の外面がクランプ部２０ａ〜２０ｄの先端側（中央接触部２１ａの外面等）に接して付勢接触され保持され、電線３の外面とクランプ部２０ａ〜２０ｄの先端側との間に密着性も確実である。よって、電線３がシャーシ２に確実に固定され、ノイズ抑制効果が得られる。
【００３７】
これは、電線３の外径や本数等が多少変わってもクランプ部２０ａ〜２０ｄの弾性変形することから電線３の外面とクランプ部２０ａ〜２０ｄの先端側との間の密着性が極端に悪化することはない。よって、本来の作用効果が十分に発揮される。よって、電線の種類等に合わせて多種類の電線保持具を使い分ける必要がなくなり、この点で配線作業を簡単化することが可能になる。
【００３８】
また、蓋部１２を開け、電線３をベース部１１の上側開口１６から取り出すと、シャーシ２から取り外すことができる。よって、電線３のシャーシ２に対する固定／取り外しが容易となり、修理作業等を容易に行うことができ、便利である。更に、電線保持具１を変形させることによりシャーシ２から簡単に取り外すことができることから、電線保持具１のリユースも容易に行うこともできる。
【００３９】
なお、本発明に係る電線固定具は、上記実施形態に限定されず、以下のように設計変更してもかまわない。
【００４０】
例えば、支持部については、ａ）電子機器のシャーシに取り付け可能、ｂ）電線を支持するに適した略筒状体、ｃ）シャーシに電気的に導通可能である限り、シャーシに挟んで取り付けられるか否かという点も含めて、その形状や材質等が問われることがない。
【００４１】
クランプ部については、ａ）支持部の中央開口内壁面に周方向に配置された弾性部材、ｂ）先端側が電線の外面に付勢接触しながら電線を保持可能である限り、支持部と一体的に設けるか別体として支持部に接続するかという点も含めて、その形状、材質、個数等が問われることがない。特に、クランプ部の全体が導電性を有する必要性はなく、例えば、クランプ部に電極部分を設けて、この電極部分が支持部を通じてシャーシに電気的に導通可能にする形態であっても良い。この場合、電線とクランプ部の電極部分との間に発生する浮遊容量により電線に含まれるリード線に流れるノイズ電流がカップリングされ支持部を通じてシャーシに導くことが可能になり、ノイズ低減効果が得られる。
【図面の簡単な説明】
【００４２】
【図１】本発明の実施の形態に係る電線保持具を説明するための図であって、同電線保持具の正面図である。
【図２】同電線保持具の平面図である。
【図３】同電線保持具の右側側面図である。
【図４】同電線保持具の図３中Ａ−Ａ断面図である。
【図５】同電線保持具の背面図である。
【図６】同電線保持具を取り付けるシャーシの切欠き穴を示す正面図である。
【図７】同電線保持具の使用状態を示す模式的斜視図である。
【図８】同電線保持具の使用状態を示す模式的背面図である。
【符号の説明】
【００４３】
１  電線固定具
１０  支持部
１１  ベース部
１１１  係合穴（ロック手段αの一部）
１２  蓋部
１２１  ロック爪（ロック手段αの他部）
１３  フランジ部
１３４  取り付け用溝
１４  フランジ部
１４４  取り付け用溝
１５  中央開口
２０ａ  クランプ部
２１ａ  接触部
２２ａ  支持部
２３ａ  支持部
２０ｂ、２０ｃ、２０ｄ  クランプ部
２  シャーシ
２１  切欠き穴
２１１  凹部
３  電線
【図１】
2010001477.tif 000003
【図２】
2010001477.tif 000004
【図３】
2010001477.tif 000005
【図４】
2010001477.tif 000006
【図５】
2010001477.tif 000007
【図６】
2010001477.tif 000008
【図７】
2010001477.tif 000009
【図８】
2010001477.tif 000010
【国際調査報告】
2010001477.tif 000011
2010001477.tif 000012
2010001477.tif 000013
2010001477.tif 000014
2010001477.tif 000015
2010001477.tif 000016